(57)【要約】【課題】入力操作によって、モニタ１２の姿勢が変化する可能性を低減させることが可能な技術を提供する。【解決手段】撮像装置１Ａは、可動式のモニタ１２と、モニタ１２の姿勢を検知する姿勢検知部１２３と、モニタ１２の表示面に設けられ、使用者の指示を入力するための表示面タッチパネル１５１と、モニタ１２の側面に設けられ、使用者の指示を入力するための側面タッチパネル１５２と、姿勢検知部１２３によって検知されるモニタ１２の姿勢に応じて、表示面タッチパネル１５１によって入力可能な所定指示を、側面タッチパネル１５２で入力可能とする機能制御部１２３とを備える。【選択図】図７
2010021767.tif 000002
【特許請求の範囲】
【請求項１】
可動式の表示部と、
前記表示部の姿勢を検知する姿勢検知手段と、
前記表示部の表示面に設けられ、使用者の指示を入力するための第１入力手段と、
前記表示部の側面に設けられ、使用者の指示を入力するための第２入力手段と、
前記姿勢検知手段によって検知される前記表示部の姿勢に応じて、前記第１入力手段によって入力可能な所定指示を、前記第２入力手段で入力可能とする機能制御手段と、
を備える電子機器。
【請求項２】
前記表示部は、前記電子機器に収められた非可動状態と、前記電子機器から突出した可動状態との間で移動可能であり、
前記機能制御手段は、前記表示部の姿勢に基づいて前記表示部の可動状態を検出した場合は、前記所定指示を、前記第２入力手段で入力可能とする請求項１に記載の電子機器。
【請求項３】
前記機能制御手段は、前記表示部の姿勢に基づいて前記表示部の非可動状態を検出した場合は、前記第２入力手段による入力機能を無効にする請求項２に記載の電子機器。
【請求項４】
前記第１入力手段は、使用者による前記表示面への操作を検出する第１検出手段を含み、
前記第２入力手段は、使用者による前記側面への操作を検出する第２検出手段を含む請求項３に記載の電子機器。
【請求項５】
可動式の表示部と、
前記表示部の姿勢を検知する姿勢検知手段と、
前記表示部の表示面に設けられ、使用者の指示を入力するための第１入力手段と、
前記表示部の側面に設けられ、使用者の指示を入力するための第２入力手段と、
前記姿勢検知手段によって検知される前記表示部の姿勢に応じて、前記第１入力手段によって入力可能な所定指示を、前記第２入力手段で入力可能とする機能制御手段と、
を備える撮像装置。
【請求項６】
前記表示部は、前記撮像装置に収められた非可動状態と、前記撮像装置から突出した可動状態との間で移動可能であり、
前記表示部は、前記非可動状態においては、撮影方向に垂直な平面内に配置され、
前記機能制御手段は、前記非可動状態では、前記第１入力手段による入力操作を実行可能とする請求項５に記載の撮像装置。
【請求項７】
ａ）可動式の表示部の姿勢を検知する工程と、
ｂ）前記ａ）工程で検知される前記表示部の姿勢に応じて、前記表示部の表示面に設けられた第１入力手段によって入力可能な所定指示を、前記表示部の側面に設けられた第２入力手段で入力可能とする工程と、
を備える電子機器の制御方法。
【請求項８】
電子機器に内蔵されたコンピュータに、
ａ）可動式の表示部の姿勢を検知する工程と、
ｂ）前記ａ）工程で検知される前記表示部の姿勢に応じて、前記表示部の表示面に設けられた第１入力手段によって入力可能な所定指示を、前記表示部の側面に設けられた第２入力手段で入力可能とする工程と、
を実行させるプログラム。
【発明の詳細な説明】
【技術分野】
【０００１】
本発明は、電子機器の操作性を向上させる技術に関する。
【背景技術】
【０００２】
一眼レフレックスタイプのデジタルカメラ（以下では、「一眼レフカメラ」とも称する）の中には、被写体に関する時系列の画像を動画的態様で表示部（モニタ）に表示させるライブビュー機能を有するものがある。
【０００３】
ライブビュー機能を有するカメラでは、モニタを視認して構図決めを行うことが可能となるが、モニタはカメラの背面に固定的に配置されるため、モニタを視認して構図決めを行う場合、カメラアングルが制限されていた。
【０００４】
このため、ライブビュー機能をさらに有効に利用するために、モニタを可動式にしてモニタの姿勢を変更可能とし、撮影者（以下では「使用者」または「ユーザ」とも称する）の利便性を向上させたカメラが提案されている（例えば、特許文献１）。
【０００５】
また、モニタの表面にタッチパネルを配してモニタへの接触操作（タッチ操作）を検知可能としたカメラでは、カメラへの指示操作をモニタ上で行うことができる。
【０００６】
【特許文献１】特開２００４−２７４６７０号公報
【発明の開示】
【発明が解決しようとする課題】
【０００７】
しかしながら、可動式のモニタを有し、当該モニタ上でのタッチ操作による指示入力機能を備えたカメラでは、モニタを可動させた可動状態において、モニタ上でタッチ操作が行われると、モニタの姿勢が変化してしまう可能性がある。
【０００８】
そこで、本発明は、入力操作によって、表示部の姿勢が変わる可能性を低減させることが可能な技術を提供することを目的とする。
【課題を解決するための手段】
【０００９】
本発明は、電子機器であって、可動式の表示部と、前記表示部の姿勢を検知する姿勢検知手段と、前記表示部の表示面に設けられ、使用者の指示を入力するための第１入力手段と、前記表示部の側面に設けられ、使用者の指示を入力するための第２入力手段と、前記姿勢検知手段によって検知される前記表示部の姿勢に応じて、前記第１入力手段によって入力可能な所定指示を、前記第２入力手段で入力可能とする機能制御手段とを備える。
【発明の効果】
【００１０】
本発明によれば、入力操作によって表示部の姿勢が変化する可能性を低減させることができる。
【発明を実施するための最良の形態】
【００１１】
以下、本発明の実施形態について図面を参照して説明する。
【００１２】
＜１．実施形態＞
＜構成＞
図１および図２は、本発明の実施形態に係る撮像装置１Ａの外観構成を示す図である。図３は、撮像装置１Ａをローポジションに構えた撮影姿勢を示す図である。なお、図１は、撮像装置１Ａの正面外観図であり、図２は、撮像装置１Ａの背面外観図であり、以下の説明では、便宜的に＋Ｙ方向を上方向、−Ｙ方向を下方向とする。
【００１３】
図１に示されるように、本実施形態に係る撮像装置１Ａは、レンズ交換式一眼レフレックスタイプのデジタルカメラとして構成されている。具体的には、撮像装置１Ａは、撮像装置本体（カメラ本体部）２を備え、このカメラ本体部２に対して、交換式の撮影レンズユニット（以下では、「交換レンズ」とも称する）３が着脱可能となっている。
【００１４】
交換レンズ３は、主として、鏡胴３６、ならびに、鏡胴３６の内部に設けられるレンズ群３７（図４参照）および絞り（不図示）等によって構成される。レンズ群３７には、光軸方向に移動することによって焦点位置を変更するフォーカスレンズ（「ＡＦレンズ」とも称する）等が含まれている。
【００１５】
カメラ本体部２は、交換レンズ３が装着される円環状のマウント部Ｍｔを正面略中央に備え、交換レンズ３を着脱するための着脱ボタン８９を円環状のマウント部Ｍｔ付近に備えている。
【００１６】
また、カメラ本体部２は、その正面左上部にモード設定ダイアル８２を備え、その正面右上部に制御値設定ダイアル８６を備えている。モード設定ダイアル８２を操作することによって、カメラの各種モード（各種撮影モード（人物撮影モード、風景撮影モード、および連続撮影モード等）、撮影した画像を再生する再生モード、および外部機器との間でデータ交信を行う通信モード等を含む）の設定動作（切替動作）を行うことが可能である。また、制御値設定ダイアル８６を操作することによれば、各種撮影モードにおける制御値を設定することが可能である。
【００１７】
また、カメラ本体部２は、正面左端部にユーザが把持するためのグリップ部１４を備えている。グリップ部１４の上面には露光開始を指示するためのレリーズボタン（シャッターボタン）１１が設けられている。グリップ部１４の内部には電池収納室とカード収納室とが設けられている。電池収納室にはカメラの電源として、例えば４本の単３形乾電池が収納されており、カード収納室には撮影画像の画像データを記録するための記録媒体（ここでは、メモリカード９０（図７参照））が着脱可能に収納されるようになっている。
【００１８】
レリーズボタン１１は、半押し状態（Ｓ１状態）と全押し状態（Ｓ２状態）とを検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、本撮影画像の撮影動作（撮像素子（「主撮像素子」とも称する）５（後述）を用いて被写体像に関する露光を行い、その露光によって得られた画像信号に所定の画像処理を施す一連の本撮影動作）が行われる。
【００１９】
図２において、カメラ本体部２の背面略中央には、表示部としてモニタ１２が設けられている。モニタ１２は、例えばカラー液晶ディスプレイ（ＬＣＤ）として構成される。モニタ１２は、撮影条件等を設定するためのメニュー画面を表示したり、再生モードにおいてメモリカード９０に記録された撮影画像を再生表示したりすることができる。
【００２０】
また、モニタ１２は、全体としてチルト可動式の筐体（「可動筐体」とも称する）ＭＫを構成している。当該可動筐体ＭＫは、軸ＰＸ１を中心に矢印ＹＧ１の向きに回動可能な可動機構を有している（図４参照）。これにより、ユーザは、撮像装置１Ａの背面に収められた初期状態（「収納状態」または「非可動状態」とも称する）と、背面より引き出され撮像装置１Ａから突出した可動状態との間で、モニタ１２の姿勢（状態）を変更することができる。
【００２１】
例えば、可動筐体ＭＫを撮像装置１Ａの背面から引き出してモニタ１２の画面を傾けた場合は、図３のように撮像装置１Ａをローポジションに構えたときにも、ユーザは、モニタ１２を正対して視認することが可能になる。
【００２２】
また、可動筐体ＭＫの軸部（「ヒンジ部」とも称する）ＨＲ１（図４）には、角度検出器ＤＡ（図４中不図示）が設けられ、軸部ＨＲ１における開き角度θ１が検出可能となっている。
【００２３】
カメラ本体部２の背面略中央上部には、ファインダ窓１０が設けられている。ファインダ窓１０には、交換レンズ３からの被写体像が導かれ、ユーザは、ファインダ窓１０を覗くことによって、主撮像素子５によって取得される被写体像と等価な像を視認することができる。具体的には、撮影光学系に入射された被写体像は、ミラー機構６(図４参照)で上方に反射され、接眼レンズ６７を介して視認される。このように、ユーザは、ファインダ窓１０を覗くことによって構図決めを行うことが可能である。なお、レリーズボタン１１のＳ２状態の検出によって本撮影動作が開始されると、ミラー機構６は被写体像を形成する光（被写体光）の光路から待避し、交換レンズ３からの光（被写体像を形成する光）が主撮像素子５に到達し、被写体に係る撮影画像（画像データ）が得られる。
【００２４】
ファインダ窓１０の下部には、接眼検知センサ１３が設けられている。
【００２５】
接眼検知センサ１３は、近接物体の有無を検知するセンサであり、ファインダ窓１０への物体の接近を検知する接近検知手段として機能する。具体的には、接眼検知センサ１３は、赤外光を発する投光素子と、撮影者の顔における当該赤外光の反射光を受光する受光素子とを備えており、反射光の有無を検出することによって、ユーザによる光学ファインダ使用の有無を検知する。
【００２６】
モニタ１２の左上部にはメインスイッチ８１が設けられている。メインスイッチ８１は、２点のスライドスイッチからなり、接点を左方の「ＯＦＦ」位置に設定すると、撮像装置１Ａの電源がオフになり、接点を右方の「ＯＮ」位置に設定すると、撮像装置１Ａの電源がオンになる。
【００２７】
モニタ１２の右側には方向選択キー８４と表示切替スイッチ９とが設けられている。
【００２８】
方向選択キー８４は、円形の操作ボタンを有し、この操作ボタンにおける上下左右の４方向の押圧操作と、右上、左上、右下および左下の４方向の押圧操作とが、それぞれ検出されるようになっている。なお、方向選択キー８４は、上記８方向の押圧操作とは別に、中央部のプッシュボタンの押圧操作も検出されるようになっている。
【００２９】
表示切替スイッチ９は、３点のスライドスイッチとして構成され、スライド操作によって構図決め操作（フレーミング）のモード（「フレーミングモード」とも称する）を切り換えることができる。
【００３０】
具体的には、表示切替スイッチ９の接点が上段の「光学」位置に設定されると光学ビューファインダモード（「ＯＶＦモード」とも称する）が選択され、光学ファインダ視野内に被写体像が表示される。これにより、ユーザは、ファインダ窓１０を介して光学ファインダ視野内の被写体像を視認して、構図決め操作を行うことが可能になる。
【００３１】
また、表示切替スイッチ９の接点が下段の「液晶」位置に設定されると電子ビューファインダモード（「ＥＶＦモード」とも称する）が選択され、モニタ１２において被写体像に係るライブビュー画像が動画的態様にて表示（ライブビュー表示）される。これにより、ユーザは、モニタ１２に表示されるライブビュー画像を視認することによって、フレーミングを行うことが可能になる。
【００３２】
また、表示切替スイッチ９の接点が中段の「自動」位置に設定されると、ファインダ窓１０への接眼の有無に応じて、光学ファインダ視野内の表示（「ＯＶＦ表示」とも称する）とライブビュー表示とが自動的に切り替えられる。これにより、ユーザは、撮像装置１Ａの使用態様に応じて、ＯＶＦ表示、或いはライブビュー表示のいずれかを視認して、フレーミングを行うことが可能となる。
【００３３】
モニタ１２の左側には、メニュー画面の設定、画像の削除などを行うための複数のボタンからなる設定ボタン群８３が設けられている。
【００３４】
次に、撮像装置１Ａの内部構成について説明する。図４および図５は、本実施形態に係る撮像装置１Ａの縦断面図である。
【００３５】
図４に示すように、撮像装置１Ａの内部には、ファインダ部（「ファインダ光学系」とも称する）１０２、ミラー機構６、位相差ＡＦモジュール（以下、単にＡＦモジュールとも称する）２０、シャッター４、主撮像素子５、および副撮像素子７などが備えられている。
【００３６】
主撮像素子（ここではＣＣＤセンサ（単にＣＣＤとも称する））５は、交換レンズ３が備えているレンズ群３７の光軸Ｌ上において、光軸Ｌに対して垂直な平面内に配置される。主撮像素子５は、その撮像面で受光された被写体像を光電変換作用により電気的信号に変換して、本撮影画像に係る画像信号を生成する。
【００３７】
主撮像素子５の直前には、シャッター４が配置されている。このシャッター４は、上下方向に移動する幕体を備え、光軸Ｌに沿って主撮像素子５に導かれる被写体光の光路開口動作および光路遮断動作を行うメカニカルフォーカルプレーンシャッターである。
【００３８】
また、図４に示されるように、交換レンズ３から主撮像素子５に至る光路（「撮影光路」とも称する）上には、ミラー機構６が設けられている。
【００３９】
ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過させる。また、ミラー機構６は、主ミラー６１を透過した光を下方に反射させるサブミラー６２（副反射面）をも有している。
【００４０】
また、ミラー機構６は、所謂クイックリターンミラーとして構成されており、ミラーダウン状態とミラーアップ状態との間で姿勢を切り替えることが可能である。
【００４１】
具体的には、撮影モードにおいてレリーズボタン１１が全押し状態Ｓ２にされるまで、換言すれば構図決めの際には、ミラー機構６はミラーダウン状態となるように配置される（図４参照）。そして、ミラーダウン状態では、交換レンズ３からの被写体光は、主ミラー６１で上方に反射され焦点板６４で結像した後、観察用光束としてファインダ部（「ファインダ光学系」とも称する）１０２に入射する。
【００４２】
また、被写体光の一部は、主ミラー６１を透過し、サブミラー６２によって下方に反射され、ＡＦモジュール２０へと導かれる。
【００４３】
ＡＦモジュール２０は、セパレータレンズおよびラインセンサ（焦点検出センサ）等を有し、フォーカスレンズによる焦点調節状態に応じた焦点調節に関する情報（「焦点情報」または「測距情報」とも称する）を取得する所謂ＡＦセンサとして機能する。
【００４４】
具体的には、ＡＦモジュール２０は、撮影領域に設定された測距エリア（「ＡＦエリア」とも称する）における被写体からの光をセパレータレンズで分離して２つの像を生成する。そして、ＡＦモジュール２０は、当該２つの像をラインセンサで受光し、その像間隔に応じた位相差検出信号を焦点情報として出力する位相差検出機能を有している。すなわち、撮影待機時におけるミラーダウン状態においては、ＡＦモジュール２０に導かれる被写体光に基づいて、ＡＦモジュール２０から焦点情報が出力される。
【００４５】
このようにＡＦモジュール２０は、撮影領域の所定位置に固定的に設定されたＡＦエリアから、焦点情報を取得する焦点情報取得手段として機能する。
【００４６】
一方、レリーズボタン１１が全押し状態Ｓ２にされると、ミラー機構６はミラーアップ状態（図５参照）となるように駆動され、露光動作が開始される。
【００４７】
具体的には、図５に示すように、露光時には、ミラー機構６は、回転軸６３を支点として上方に向けて跳ね上がり、撮影光路から待避する。詳細には、撮影光学系からの光を遮らないように主ミラー６１とサブミラー６２とが上方に待避し、交換レンズ３からの光がシャッター４の開放タイミングに合わせて主撮像素子５に到達する。主撮像素子５は、光電変換によって、受光した光束に基づいて被写体像に関する画像信号を生成する。このように、被写体からの光が交換レンズ３を介して主撮像素子５に導かれることによって、被写体に係る撮影画像（撮影画像データ）が得られる。
【００４８】
＜構図決め動作について＞
次に、撮像装置１Ａにおける構図決め動作（フレーミング動作）について説明する。上述のように、撮像装置１Ａでは、ユーザは、表示切替スイッチ９のスライド操作によって、ＯＶＦモードで光学ファインダを利用して構図決めを行うか、ＥＶＦモードで電子ファインダを利用して構図決めを行うかを選択することができる。図６は、ＥＶＦモードにおける撮像装置１Ａの縦断面図である。
【００４９】
構図決めの際には、ミラー機構６はミラーダウン状態となるように配置される（図４および図６参照）。上述のように、ミラーダウン状態では、交換レンズ３からの被写体像は、主ミラー６１で上方に反射され観察用光束としてファインダ部１０２に導かれる。
【００５０】
ファインダ部１０２は、ペンタミラー６５、接眼レンズ６７、ファインダ窓１０、結像レンズ６９、および副撮像素子７等を備えている。
【００５１】
ペンタミラー６５は、複数のミラー（反射面）を有しており、反射によって被写体像の天地左右を入れ替えて正立像にする機能および被写体光の光路を変更する機能を有している。
【００５２】
具体的には、ペンタミラー６５は、三角屋根状に形成された２面のミラー（ダハミラー）６５ａ，６５ｂと、当該ダハミラー（ダハ面）６５ａ，６５ｂに対して固定された面６５ｃと、光路変更ミラー（反射面）６５ｅとを有している。
【００５３】
ダハミラー６５ａ，６５ｂは、プラスチック成型により一体部品６５ｄとして形成され、被写体光を２回反射させることによって被写体像の姿勢を反転させる機能を有している。光路変更ミラー６５ｅは、光学ファインダおよび電子ファインダのいずれを採用して構図決めを行うかに応じて、被写体光の光路を変更する機能を有している。
【００５４】
接眼レンズ６７は、ペンタミラー６５により正立像にされた被写体像をファインダ窓１０の外側に導く機能を有している。
【００５５】
以下では、光学ファインダを用いたフレーミング動作および電子ファインダを用いたフレーミング動作それぞれについて詳述する。
【００５６】
まず、光学ファインダを用いたフレーミング動作について説明する。
【００５７】
図４に示すように、ＯＶＦモードでは、ミラー機構６が、交換レンズ３からの被写体像の光路上に配置され、被写体像が主ミラー６１とペンタミラー６５と接眼レンズ６７とを順に介してファインダ窓１０へと導かれる。
【００５８】
より詳細には、交換レンズ３を通過した被写体光は、主ミラー６１で上方に反射され、焦点板６４に結像する。焦点板６４に結像した被写体光は、当該焦点板６４を通過し、ペンタミラー６５で進路変更された後に、接眼レンズ６７を通ってファインダ窓１０へ向かう（図４の光路ＰＡ参照）。このように光路ＰＡに沿って、ファインダ窓１０に導かれた被写体像は、ユーザ（観察者）の眼へ到達して視認される。
【００５９】
このようにＯＶＦモードでは、ユーザは、ファインダ窓１０を覗くことによって、ファインダ視野内に表示された被写体像を視認し、構図決めを行うことができる。
【００６０】
次に、電子ファインダを用いたフレーミング動作について説明する。
【００６１】
図６に示すように、ＥＶＦモードでは、ミラー機構６は、交換レンズ３からの被写体像の光路上に配置される。そして、交換レンズ３を通過した被写体光は、主ミラー６１で上方に反射され、焦点板６４に結像する。焦点板６４に結像した被写体光は、焦点板６４を通過し、ペンタミラー６５で進路変更された後に、結像レンズ６９（結像光学系）を介して副撮像素子７の撮像面上で再結像する（図６の光路ＰＢ参照）。
【００６２】
このようにＥＶＦモードでは、被写体像は、ＯＶＦモードにおける光路ＰＡとは異なる光路ＰＢに沿って副撮像素子７に導かれる。
【００６３】
ファインダ部１０２における光路変更は、光路変更ミラー６５ｅの角度（カメラ本体部２に対する設置角度）をファインダモードに応じて変更することによって実現される。
【００６４】
具体的には、光路変更ミラー６５ｅは、表示切替スイッチ９のスライド動作に連動して、軸ＡＸ１を中心に回転可能に構成され、ＥＶＦモード（図６参照）では、ＯＶＦモード（図４参照）に比べて軸ＡＸ１を中心に矢印ＹＶの向きに所定角度ＡＮ回動される。
【００６５】
このように、ＥＶＦモードでは、光路変更ミラー６５ｅの姿勢を変更することによって、ファインダ部１０２内の被写体光の光路が変更される。これにより、被写体光は、結像レンズ６９を通過して副撮像素子７に到達する。
【００６６】
上述のように、副撮像素子７は、光路ＰＢに沿って到達した被写体光を受光し、被写体像に係る撮影画像を微小時間間隔（例えば、１／６０秒）で順次に取得する。取得された時系列の撮影画像は、モニタ１２に動画的態様にて順次に表示（ライブビュー表示）される。
【００６７】
これによって、ユーザは、モニタ１２に表示される動画像（ライブビュー画像）を視認して構図決めを行うことが可能になる。
【００６８】
なお、結像レンズ６９および副撮像素子７は、ＯＶＦモードにおいて光路変更ミラー６５ｅから接眼レンズ６７へと進行する光束を遮らない位置（ここでは、接眼レンズ６７の上方位置）に配置されている。
【００６９】
このように、撮像装置１Ａでは、ファインダ部１０２の光路変更ミラー６５ｅの姿勢を変更することによって被写体光の光路が変更され、ＯＶＦモードとＥＶＦモードとが切り換えられる。
【００７０】
＜機能ブロック＞
次に、撮像装置１Ａの機能の概要について説明する。図７は、本実施形態に係る撮像装置１Ａの機能構成を示すブロック図である。図８は、撮像装置１Ａの側面の概略図である。
【００７１】
図７に示されるように、撮像装置１Ａは、位相差ＡＦモジュール２０、操作部８０、タッチパネル部１５、全体制御部１００、ミラー機構６、シャッター４、主撮像素子５、Ａ／Ｄ変換回路５２、デジタル信号処理回路５０、および画像メモリ５６等を備える。
【００７２】
操作部８０は、レリーズボタン１１（図１参照）を含む各種ボタンおよびスイッチ等を備えて構成される。操作部８０に対するユーザの入力操作に応答して、全体制御部１００が各種動作を実現する。
【００７３】
タッチパネル部１５は、モニタ１２の表示面および可動筐体ＭＫの側面にそれぞれ設けられ、ユーザの指示を入力するための入力手段として機能する。
【００７４】
具体的には、モニタ１２の表示面には、透明なタッチパネル（「表示面タッチパネル」とも称する）１５１が配設されている。表示面タッチパネル１５１は、表示面に対するユーザの接触操作（タッチ操作）を検出する。具体的には、ユーザの指がモニタ１２上の任意の位置に配置されると、配置位置（タッチ位置）の座標が表示面タッチパネル１５１により検出され、全体制御部１００に提供される。全体制御部１００では、検出された座標（「タッチ座標」とも称する）に対応する表示画面上のキーが認識され、認識されたキーに割り当てられた所定の処理が実行される。
【００７５】
また、図８に示されるように、可動筐体ＭＫの側面にも、タッチパネル（「側面タッチパネル」とも称する）１５２が設けられている。側面タッチパネル１５２は、表示面タッチパネル１５１と同様に、可動筐体ＭＫの側面に対するユーザの接触操作を検出する機能を有し、可動筐体ＭＫの可動状態で、当該検出機能が有効化される。側面タッチパネル１５２で接触操作が検出されると、接触位置に関する情報（接触情報）が全体制御部１００に提供され、接触位置に対応した所定の処理が実行される。
【００７６】
このようなタッチパネル部１５を備える撮像装置１Ａでは、例えば、モニタ１２を撮影方向に垂直な平面内に配置した非可動状態において、ユーザは、表示面タッチパネル１５１を用いた入力操作を行うことができる。また、モニタ１２を撮像装置１Ａから突出させた可動状態において、ユーザは、側面タッチパネル１５２を用いた入力操作を行うことができる。
【００７７】
主撮像素子５は、タイミング制御回路（不図示）から入力される駆動制御信号（蓄積開始信号および蓄積終了信号）に応答して、受光面（撮像面）に結像された被写体像の露光（光電変換による電荷蓄積）を行い、当該被写体像に係る画像信号を生成する。
【００７８】
主撮像素子５で取得された画像信号（アナログ信号）は、Ａ／Ｄ変換回路５２によってデジタル信号に変換される。デジタル信号に変換された画像信号は、デジタル信号処理回路５０に入力される。
【００７９】
デジタル信号処理回路５０は、Ａ／Ｄ変換回路５２から入力される画像信号に対してデジタル信号処理を施す。具体的には、黒レベル補正処理、ホワイトバランス（ＷＢ）処理、γ補正処理等の信号処理を行う。当該信号処理後の画像信号（画像データ）は、画像メモリ５６に格納される。
【００８０】
画像メモリ５６は、生成された画像データを一時的に記憶するための、高速アクセス可能なメモリであり、複数フレーム分の画像データを記憶可能な容量を有している。
【００８１】
本撮影時には、画像メモリ５６に一時記憶される画像データは、全体制御部１００において適宜画像処理（圧縮処理等）が施された後、メモリカード９０に記憶される。
【００８２】
副撮像素子７は、基本的には主撮像素子５と同様の機能を有し、いわゆるライブビュー画像取得用（電子ファインダ用）の撮像素子（補助撮像素子）としての役割を果たす。具体的には、副撮像素子７は、ファインダ光学系に導かれた被写体像の露光を行い、ライブビュー表示用の画像に関する画像信号を取得する。なお、副撮像素子７は、ライブビュー用の画像信号を生成するための解像度を有していればよく、通常、主撮像素子５よりも少ない数の画素で構成される。
【００８３】
副撮像素子７によって取得された画像データは、Ａ／Ｄ変換回路５２およびデジタル信号処理回路５０において所定の処理が実行され画像メモリ５６に一旦記憶された後、モニタ１２に表示される。
【００８４】
全体制御部１００は、マイクロコンピュータとして構成され、主にＣＰＵ，ＲＡＭ１２０Ａ、およびＲＯＭ１２０Ｂ等を備える。全体制御部１００は、ＲＯＭ１２０Ｂ内に格納されたプログラムを読み出し、当該プログラムをＣＰＵで実行することによって、各種機能を実現する。
【００８５】
全体制御部１００は、上述のプログラムの実行によって、位相差ＡＦ制御部１２１、駆動制御部１２２、姿勢検知部１２３、指示認識部１２４、機能制御部１２５、および表示制御部１２６等を機能的に実現する。
【００８６】
位相差ＡＦ制御部１２１は、位相差検出方式による自動合焦（ＡＦ）動作（位相差ＡＦ）を行う。具体的には、位相差ＡＦ制御部１２１は、ＡＦモジュール２０から出力される焦点情報に基づいて、合焦時のフォーカスレンズの位置（レンズ合焦位置）を特定するレンズ合焦位置特定動作を行う。
【００８７】
駆動制御部１２２は、位相差ＡＦ制御部１２１からの制御信号に応じてフォーカスレンズを光軸方向に移動させるレンズ駆動動作を実行させる。
【００８８】
具体的には、駆動制御部１２２は、位相差ＡＦ制御部１２１からの制御信号に応じて、交換レンズ３内のレンズ側制御部３１を動作させる。レンズ側制御部３１は、駆動制御部１２２からの指令に応じてレンズ駆動部３８を駆動させ、交換レンズ３のレンズ群３７に含まれるフォーカスレンズを光軸方向に移動させる。また、フォーカスレンズの位置（単に「レンズ位置」とも称する）は、交換レンズ３のレンズ位置検出部３９によって検出され、フォーカスレンズの位置を示すデータがレンズ側制御部３１からカメラ本体部２の全体制御部１００に送られる。
【００８９】
姿勢検知部１２３は、角度検出器ＤＡによって取得された軸部ＨＲ１の角度情報に基づいて、モニタ１２の現在位置を演算により算出して、モニタ１２の姿勢を検知する機能を有している。
【００９０】
指示認識部１２４は、表示面タッチパネル１５１および側面タッチパネル１５２で検出されたタッチ操作に応じたユーザの指示を認識する機能を有している。
【００９１】
機能制御部１２５は、姿勢検知部１２３によって検知されたモニタ１２の姿勢に応じて、側面タッチパネル１５２に検出機能を付与する。
【００９２】
具体的には、機能制御部１２５は、姿勢検知部１２３によって検知されたモニタ１２の姿勢に応じて、モニタ１２が可動状態であるか否かを判断し、モニタ１２が可動状態であった場合は、側面タッチパネル１５２の検出機能を有効化する。そして、機能制御部１２５は、表示面タッチパネル１５１によって入力可能なユーザの指示を、側面タッチパネル１５２で入力可能となるように機能制御する。
【００９３】
表示制御部１２６は、モニタ１２などの表示部における表示内容を制御する。例えば、表示制御部１２６は、副撮像素子７によって連続的に取得される撮影画像に基づいて、モニタ１２に連続的な画像を表示させるライブビュー表示を行う。また、表示制御部１２６は、ユーザによるタッチ操作のためのキーをモニタ１２に表示させる。
【００９４】
＜側面タッチパネル１５２への機能付与について＞
次に、モニタ１２の可動状態で実行される、側面タッチパネル１５２への機能付与について説明する。図９は、モニタ１２の可動状態における撮像装置１Ａを示す図である。
【００９５】
上述のように、撮像装置１Ａでは、モニタ１２の可動状態が検知されると、側面タッチパネル１５２の検出機能が有効化され、表示面タッチパネル１５１によって入力可能なユーザの指示が、側面タッチパネル１５２で入力可能とされる。
【００９６】
これにより、ユーザは、側面タッチパネル１５２でのタッチ操作によって、表示面タッチパネル１５１における指示操作と同様の指示操作を行うことが可能になる。
【００９７】
モニタ１２の可動状態では、可動筐体ＭＫに、モニタ１２の表示面に対して垂直な方向（図９中の矢印ＹＡで示す方向）の力が加わると、可動筐体ＭＫは回動され、モニタ１２の姿勢が変化する。モニタ１２の可動状態において、表示面タッチパネル１５１でタッチ操作を行うと、表示面に対して垂直な方向の力を可動筐体ＭＫに加えてしまう可能性があり、当該タッチ操作によってモニタ１２の姿勢が変化するおそれがある。
【００９８】
これに対して、可動筐体ＭＫの側面に対して垂直な方向（図９中の矢印ＹＢ１，ＹＢ２で示す方向）の力が可動筐体ＭＫに加えられても、モニタ１２の姿勢は変化しない。
【００９９】
そこで、撮像装置１Ａでは、可動筐体ＭＫの側面に操作部材として側面タッチパネル１５２を設け、モニタ１２の可動状態を検知すると、側面タッチパネル１５２の検出機能を有効にする。そして、撮像装置１Ａは、表示面タッチパネル１５１によって入力可能なユーザの指示を、側面タッチパネル１５２で入力可能となるように表示面タッチパネル１５１の入力機能を側面タッチパネル１５２に付与する。
【０１００】
このように、モニタ１２の可動状態において、表示面タッチパネル１５１で入力可能な指示を、側面タッチパネル１５２を用いて入力可能とすることによれば、モニタ１２の姿勢に影響を及ぼさない入力操作を実現することができる。
【０１０１】
なお、入力機能の付与に際して、表示面タッチパネル１５１の検出機能を無効化してもよい。すなわち、表示面タッチパネル１５１での入力機能を側面タッチパネル１５２に移動させて、モニタ１２の可動状態では、表示面タッチパネル１５１での入力を受け付けないようにしてもよい。これによれば、モニタ１２の可動状態において、表示面タッチパネル１５１での入力操作が禁止されるので、モニタ１２の姿勢に影響を及ぼす入力操作を事前に回避することが可能になる。
【０１０２】
ここで、側面タッチパネル１５２を用いた操作について詳述する。図１０には、ＩＳＯ感度を設定する際のメニュー画面の遷移の様子が示されている。
【０１０３】
なお、可動筐体ＭＫの側面ＧＦ１に設けられた側面タッチパネル１５２は、「決定」指示のタッチ操作を検出する第１検出領域ＫＲ１と、「送る」指示のタッチ操作を検出する第２検出領域ＫＲ２と、「戻る」指示のタッチ操作を検出する第３検出領域ＫＲ３とを有している。モニタ１２には、上記各検出領域ＫＲ１〜ＫＲ３で認識される指示の内容が、各検出領域ＫＲ１〜ＫＲ３の位置と対応した位置に表示されている（図１０中の破線で囲まれた領域を参照）。
【０１０４】
ＩＳＯ感度を設定する場合は、図１０に示されるように、メニュー画面ＭＧ１において、ＩＳＯ感度を示す項目ＬＭ１が選択される。項目の選択は、第２検出領域ＫＲ２および第３検出領域ＫＲ３のタッチ操作によって、選択対象とする項目（選択対象項目）にカーソルＣＲを移動させ、第１検出領域ＫＲ１のタッチ操作で選択対象項目の選択を決定することによって行われる。
【０１０５】
このような項目の選択によって、ＩＳＯ感度を示す項目ＬＭ１が選択されると、モニタ１２の表示は切り替えられ（図１０中の両矢印ＷＹ１で表される遷移）、メニュー画面ＭＧ２が表示される。
【０１０６】
メニュー画面ＭＧ２では、ＩＳＯ感度を示す項目ＬＭ１の隣に、現在のＩＳＯ感度の設定値が表示される。メニュー画面ＭＧ２上では、第２検出領域ＫＲ２のタッチ操作でＩＳＯ感度の値を大きくすることができ、第３検出領域ＫＲ３のタッチ操作でＩＳＯ感度の値を小さくすることができる。例えば、メニュー画面ＭＧ２上で、第２検出領域ＫＲ２のタッチ操作が行われると、ＩＳＯ感度の表示値が変更され、大きくなる（図１０中の両矢印ＷＹ２で表される遷移）。
【０１０７】
ＩＳＯ感度の設定値を所望の設定値に変更する場合は、メニュー画面ＭＧ２において所望の設定値を表示させた状態で、第１検出領域ＫＲ１のタッチ操作が行われる。
【０１０８】
また、ＩＳＯ感度の設定を終了して、メニュー画面ＭＧ２からメニュー画面ＭＧ１に戻る場合は、メニュー画面ＭＧ２において第１検出領域ＫＲ１のタッチ操作を行えばよい。
【０１０９】
このように、モニタ１２の可動状態においては、側面タッチパネル１５２を用いた入力操作が実行可能となる。
【０１１０】
＜モニタ１２の姿勢に応じた撮像装置１Ａの動作＞
次に、本実施形態の撮像装置１Ａにおいて、撮影モードにおいて、モニタ１２の姿勢に応じて実行される動作について説明する。図１１は、モニタ１２の姿勢に応じて実行される動作のフローチャートである。
【０１１１】
図１１に示されるように、撮影モードに設定されると、ステップＳＰ１では、姿勢検知部１２３によってモニタ１２の姿勢が検知される。
【０１１２】
ステップＳＰ２では、機能制御部１２５によって、モニタ１２の姿勢に基づいて、可動筐体ＭＫの側面においてユーザによるタッチ操作が可能であるか否かが判定される。モニタ１２が可動状態にあり、側面におけるタッチ操作が可能であると判定されると、ステップＳＰ３に移行される。
【０１１３】
ステップＳＰ３では、機能制御部１２５によって、側面タッチパネル１５２に入力機能が付与される。具体的には、側面タッチパネル１５２の検出機能が有効化され、表示面タッチパネル１５１によって入力可能なユーザの指示が、側面タッチパネル１５２における側面への操作によって入力可能とされる。これにより、ユーザは、側面タッチパネル１５２でのタッチ操作によって、表示面タッチパネル１５１における指示操作と同様の指示操作を行うことが可能になる。
【０１１４】
一方、ステップＳＰ２で、機能制御部１２５によって、モニタ１２が収納状態にあり、可動筐体ＭＫの側面におけるタッチ操作が不可能であると判定されると、ステップＳＰ４に移行される。
【０１１５】
ステップＳＰ４では、機能制御部１２５において、側面タッチパネル１５２の検出機能が有効であるか否かが判定される。側面タッチパネル１５２の検出機能が有効であった場合は、ステップＳＰ５に移行し、機能制御部１２５において、側面タッチパネル１５２の検出機能を無効にする処理が実行され、ステップＳＰ６に移行する。
【０１１６】
一方、側面タッチパネル１５２の検出機能が無効であった場合は、ステップＳＰ５を経ずに、ステップＳＰ６に移行する。
【０１１７】
ステップＳＰ６では、撮影モードが継続されているか否かが判定される。撮影モードが継続されていた場合は、ステップＳＰ１に戻り、ステップＳＰ１〜ＳＰ６の処理が繰り返し実行される。すなわち、撮影モード中は、ステップＳＰ１〜ＳＰ６の処理が繰り返し実行される。一方、撮影モードが終了すると（例えば、再生モードに変更された場合）、モニタ１２の姿勢に応じて実行される動作が終了される。
【０１１８】
以上のように、撮像装置１Ａは、モニタ１２の可動状態を検知すると、表示面タッチパネル１５１によって入力可能なユーザの指示を、側面タッチパネル１５２で入力可能となるように機能制御する。この入力方式の変更によれば、側面タッチパネル１５２を用いて表示面タッチパネル１５１と同様の指示を入力することが可能になるので、モニタ１２の姿勢に影響を及ぼさない入力操作を実現でき、撮像装置１Ａの操作性が向上する。
【０１１９】
＜２．変形例＞
以上、この発明の実施の形態について説明したが、この発明は上記説明した内容のものに限定されるものではない。
【０１２０】
例えば、上記実施形態では、可動筐体ＭＫが軸ＰＸ１を中心にして回動可能な場合について例示したが、これに限定されない。図１２は、変形例に係る撮像装置１Ｂの側面の概略図である。図１３は、変形例に係る撮像装置１Ｃの背面の概略図である。
【０１２１】
具体的には、図１２に示されるように、可動筐体ＭＫは、軸ＰＸ２を中心に矢印ＹＧ２の向きに回動可能に支持されていてもよい。
【０１２２】
或いは、図１３に示されるように、可動筐体ＭＫは、カメラ本体部２の側端においてヒンジ部ＨＲ２を介してカメラ本体部２と開閉自在に取り付けられるとともに、ヒンジ部ＨＲ２の回動軸に対して垂直な軸ＡＬを中心としてカメラ本体部２に対して回転自在に支持されていてもよい。
【０１２３】
なお、撮像装置１Ｂの可動筐体ＭＫの側面ＧＦ２、および撮像装置１Ｃの可動筐体ＭＫの側面ＧＦ３，ＧＦ４には、操作部材として側面タッチパネル１５２を設けることができる。
【０１２４】
また、上記実施形態では、可動筐体ＭＫの姿勢に応じて側面タッチパネル１５２における検出機能の有効／無効を制御していたが、これに限定されない。図１４は、可動筐体ＭＫの側面を覆う被覆部材ＥＢを備えた撮像装置１Ｄを示す図である。
【０１２５】
具体的には、図１４に示されるように、モニタ１２の非可動状態で可動筐体ＭＫの側面を覆うことが可能な被覆部材ＥＢを新たに設けて、モニタ１２の非可動状態での側面タッチパネル１５２によるタッチ操作を物理的に制限してもよい。これによれば、側面タッチパネル１５２の検出機能を電気的に無効にすることなく、モニタ１２の非可動状態での側面タッチパネル１５２によるタッチ操作を禁止することができる。
【０１２６】
また、モニタ１２が可動状態であるか否かは、可動筐体ＭＫが接眼検知センサ１３の検知可能領域（または「接眼検知領域」とも称する）に含まれるか否かを基準にして判断してもよい。
【０１２７】
具体的には、姿勢検知部１２３によって検知されたモニタ１２の姿勢と、接眼検知センサ１３の接眼検知領域とに基づいて、可動筐体ＭＫが接眼検知領域に含まれるか否かが判定される。そして、可動筐体ＭＫが接眼検知領域に含まれると判定された場合は、モニタ１２は可動状態であると判断し、可動筐体ＭＫが接眼検知領域に含まれないと判定された場合は、モニタ１２は非可動状態であると判断するようにしてもよい。
【０１２８】
なお、接眼検知センサ１３の接眼検知領域は、接眼検知センサ１３によって近接物体を検知することが可能な領域であり、予めＲＯＭ１２０Ｂに記憶されている。
【０１２９】
また、上記実施形態では、可動筐体ＭＫの側面に操作部材として側面タッチパネル１５２を設けていたが、これに限定されない。
【０１３０】
具体的には、可動筐体ＭＫの側面に設ける操作部材としては、押し込み式のボタン等を採用してもよい。
【０１３１】
また、上記実施形態では、本発明が電子機器としての撮像装置１Ａに適用される場合について例示したが、本発明を他の電子機器（例えばカムコーダ）に適用してもよい。
【図面の簡単な説明】
【０１３２】
【図１】実施形態に係る撮像装置の外観構成を示す図である。
【図２】実施形態に係る撮像装置の外観構成を示す図である。
【図３】撮像装置をローポジションに構えた撮影姿勢を示す図である。
【図４】実施形態に係る撮像装置の縦断面図である。
【図５】実施形態に係る撮像装置の縦断面図である。
【図６】ＥＶＦモードにおける撮像装置の縦断面図である。
【図７】実施形態に係る撮像装置の機能構成を示すブロック図である。
【図８】撮像装置の側面の概略図である。
【図９】モニタの可動状態における撮像装置を示す図である。
【図１０】ＩＳＯ感度を設定する際のメニュー画面の遷移の様子を示す図である。
【図１１】モニタの姿勢に応じて実行される動作のフローチャートである。
【図１２】変形例に係る撮像装置の側面の概略図である。
【図１３】変形例に係る撮像装置の背面の概略図である。
【図１４】可動筐体の側面を覆う被覆部材を備えた撮像装置を示す図である。
【符号の説明】
【０１３３】
１２  モニタ
１２３  姿勢検知部
１２４  指示認識部
１２５  機能制御部
１２６  表示制御部
１５  タッチパネル部
１５１  表示面タッチパネル
１５２  側面タッチパネル
ＭＫ  可動筐体
【図１】
2010021767.tif 000003
【図２】
2010021767.tif 000004
【図４】
2010021767.tif 000005
【図５】
2010021767.tif 000006
【図６】
2010021767.tif 000007
【図７】
2010021767.tif 000008
【図８】
2010021767.tif 000009
【図９】
2010021767.tif 000010
【図１０】
2010021767.tif 000011
【図１１】
2010021767.tif 000012
【図１２】
2010021767.tif 000013
【図１３】
2010021767.tif 000014
【図１４】
2010021767.tif 000015
【図３】
2010021767.tif 000016